(57)【要約】【課題】記録媒体の同一箇所に同時に多数のホログラフィック記録をする。【解決手段】ホログラフィック記録装置１０は、参照光学系１８及び物体光学系１６をそれぞれ並列に複数に分岐させ、分岐物体光学系２２Ａ〜２２Ｒには各々空間光変調器２８Ａ〜２８Ｅを設けると共に、その光路長を異ならせ、これに対して、分岐参照光学系３４Ａ〜３４Ｅは、前記分岐物体光学系２２Ａ〜２２Ｅからの偏光と可干渉となるように設定することにより、ほとんど同時に、ホログラフィック記録媒体２０の同一箇所に多数のホログラフィック記録をする。【選択図】図１
2005070341.tif 000002
【特許請求の範囲】
【請求項１】
レーザ光をビームスプリッタにより物体光と参照光とに分岐し、前記物体光を、記録すべき情報に応じて変調し、前記参照光と前記変調された物体光とをホログラフィック記録媒体内で干渉させて、干渉縞を形成するホログラフィック記録方法であって、
前記物体光及び参照光を、各々同数の分岐物体光及び分岐参照光に分岐し、
これらの分岐物体光を、各々異なる反射型空間光変調器により変調し、且つ、この反射型空間光変調器の前後の光路を含む前記ビームスプリッタから前記ホログラフィック記録媒体に至る光路長が相互に異なる分岐物体光路を経て、反射型空間光変調器からの反射光を同一光路上に統合し、前記ホログラフィック記録媒体に入射させ、
前記分岐参照光を、前記ビームスプリッタから前記ホログラフィック記録媒体に至る、相互に異なる光路長の分岐参照光路を通って、且つ、異なる角度で前記ホログラフィック記録媒体に入射させ、
前記各分岐参照光路を、その光路長の、前記複数の分岐物体光路のうちいずれか一つの光路長との差が、前記レーザ光の可干渉距離よりも短く、他の分岐物体光の光路長との差が、前記可干渉距離よりも長く設定することを特徴とするホログラフィック記録方法。
【請求項２】
請求項１において、前記物体光を、全ての分岐物体光の、前記ホログラフィック記録媒体への到達光量が等しくなるように分岐することを特徴とするホログラフィック記録方法。
【請求項３】
請求項１又は２において、前記参照光を、全ての分岐参照光の、前記ホログラフィック記録媒体への到達量が等しくなるように分岐することを特徴とするホログラフィック記録方法。
【請求項４】
請求項１、２又は３において、前記分岐参照光の、前記ホログラフィック記録媒体への入射角度が大きい程、これと干渉する前記分岐物体光の光路長が長くなるように設定したことを特徴とするホログラフィック記録方法。
【請求項５】
レーザ光源と、このレーザ光源から出射されるレーザビームを、２つの相反する特性の第１偏光及び第２偏光に分離する偏光ビームスプリッタと、前記第１偏光を物体光としてホログラフィック記録媒体に導く物体光学系と、前記第２偏光を参照光として前記ホログラフィック記録媒体に導く参照光学系と、を有してなり、前記物体光と参照光との干渉縞を前記ホログラフィック記録媒体に形成して、情報を記録するホログラフィック記録装置であって、
前記物体光学系は、前記偏光ビームスプリッタから前記ホログラフィック記録媒体の間に並列に配置された複数の分岐物体光学系を含んでなり、各分岐物体光学系は、前記第１偏光を反射すると共に前記第２偏光と同一特性の偏光を透過する分岐偏光ビームスプリッタと、この分岐偏光ビームスプリッタからの反射光の位相を転換する１／４波長板と、この１／４波長板からの偏光を、該１／４波長板及び前記分岐偏光ビームスプリッタ方向に反射すると共に、記録すべき情報に応じて反射光を変調する反射型空間光変調器と、この反射型空間光変調器で反射され、前記１／４波長板及び前記分岐偏光ビームスプリッタを通った偏光を前記ホログラフィック記録媒体方向に反射する一部透過反射ミラーと、前記分岐偏光ビームスプリッタと前記一部透過反射ミラーとの間に設けられたフーリエレンズと、を含んでなり、
前記分岐偏光ビームスプリッタは、前記偏光ビームスプリッタで分岐された第１偏光の直線光路上に、直列に、且つ、反射面を４５°傾けて平行に配置され、前記一部透過反射ミラーは、前記ホログラフィック記録媒体に入射する偏光の直線光路上に、直列に、且つ、反射面を４５°傾けて平行に配置され、
前記参照光学系は、前記分岐物体光学系と同数の並列に配置された分岐参照光学系から構成され、
前記各分岐参照光学系は、前記ホログラフィック記録媒体に向けて第２偏光を反射するように設定された一部透過反射ミラーと、この一部透過反射ミラーの反射光の光路上に配置されたフーリエレンズと、を含んでなり、
前記各分岐参照光学系における前記一部透過反射ミラーは、前記第２偏光の光路上に直列に配置され、
前記分岐物体光学系のうち一つは、前記分岐参照光学系のうちの１つに対して、前記偏光ビームスプリッタから前記ホログラフィック記録媒体まで光路長の差が、前記レーザ光の可干渉距離よりも短く、且つ、他の分岐参照光学系に対して、前記光路長の差が、前記可干渉距離よりも長く設定されたことを特徴とするホログラフィック記録装置。
【請求項６】
請求項５において、前記反射型空間光変調器は、ディジタル・マイクロミラー・デバイスであることを特徴とするホログラフィック記録装置。
【請求項７】
請求項５において、前記反射型空間光変調器は、反射型液晶ディスプレイであることを特徴とするホログラフィック記録装置。
【請求項８】
請求項５、６又は７において、前記各分岐偏光ビームスプリッタは、前記反射型空間光変調器からの反射光を透過した後の透過光強度が等しくなるように、その透過率及び反射率が設定されていることを特徴とするホログラフィック記録装置。
【請求項９】
請求項５乃至８のいずれかにおいて、前記分岐参照光学系の一部透過反射ミラーの透過率及び反射率は、各分岐参照光学系から前記ホログラフィック記録媒体に入射する偏光の光強度が等しくなるように設定されていることを特徴とするホログラフィック記録装置。
【発明の詳細な説明】
【技術分野】
【０００１】
本発明は、物体光及び参照光の干渉縞をホログラフィック記録媒体に記録するホログラフィック記録方法及び装置に関する。
【背景技術】
【０００２】
ホログラフィック記録媒体に、高密度でホログラフィック記録をするために、ホログラフィック記録媒体の同一箇所に参照光の入射角度を異ならせる角度多重記録方法と、参照光の波長を異ならせる波長多重記録方法とがある。
【０００３】
角度多重記録方法において、再生専用型（ＲＯＭ型）のホログラフィック記録媒体を形成する場合、従来の、角度多重記録方式では、参照光の切換えあるいは物体光を変調させるための空間光変調器の切換えに時間がかかり、その量産性を向上させることが困難である。
【０００４】
これに対して、特許文献１に記載されるように、一対のプリズム若しくは回折格子を電気的に制御された回転機構を用いて相対的に回転させることにより入射光線を偏光させるビーム偏光器を用い、ホログラムを角度多重記録とペリストロフィック多重記録を組み合わせて多重記録する方法が開示されている。
【０００５】
【特許文献１】特開２０００−３３８８４６号公報
【発明の開示】
【発明が解決しようとする課題】
【０００６】
しかしながら、上記特許文献１記載の多重記録方法でも、プリズム若しくは回折格子を回転させるために、その回転機構の速度に限界があり、これに加えて、高速の角度切換えに対応して空間光変調器等の情報光形成手段を追従させることができないという問題点がある。
【０００７】
この発明は、プリズムの回転機構等の運動部分がなく、参照光の入射角度切換えに十分に対応して空間光変調器を作動させることができるようにした、ホログラフィック記録方法及び装置を提供することを課題とする。
【課題を解決するための手段】
【０００８】
本発明者は、鋭意研究の結果、参照光学系及び物体光学系をそれぞれ並列に複数に分岐させ、分岐した物体光学系には各々空間光変調器を設けると共に、その光路長を異ならせ、これに対して、分岐された参照光学系は、前記分岐された物体光学系からの偏光と可干渉となるように設定することにより、ほとんど同時に、ホログラフィック記録媒体の同一箇所に多数のホログラフィック記録が可能であることが分かった。
【０００９】
即ち、以下の本発明により上記目的を達成することができる。
【００１０】
（１）レーザ光をビームスプリッタにより物体光と参照光とに分岐し、前記物体光を、記録すべき情報に応じて変調し、前記参照光と前記変調された物体光とをホログラフィック記録媒体内で干渉させて、干渉縞を形成するホログラフィック記録方法であって、前記物体光及び参照光を、各々同数の分岐物体光及び分岐参照光に分岐し、これらの分岐物体光を、各々異なる反射型空間光変調器により変調し、且つ、この反射型空間光変調器の前後の光路を含む前記ビームスプリッタから前記ホログラフィック記録媒体に至る光路長が相互に異なる分岐物体光路を経て、反射型空間光変調器からの反射光を同一光路上に統合し、前記ホログラフィック記録媒体に入射させ、前記分岐参照光を、前記ビームスプリッタから前記ホログラフィック記録媒体に至る、相互に異なる光路長の分岐参照光路を通って、且つ、異なる角度で前記ホログラフィック記録媒体に入射させ、前記各分岐参照光路を、その光路長の、前記複数の分岐物体光路のうちいずれか一つの光路長との差が、前記レーザ光の可干渉距離よりも短く、他の分岐物体光の光路長との差が、前記可干渉距離よりも長く設定することを特徴とするホログラフィック記録方法。
【００１１】
（２）前記物体光を、全ての分岐物体光の、前記ホログラフィック記録媒体への到達光量が等しくなるように分岐することを特徴とする（１）のホログラフィック記録方法。
【００１２】
（３）前記参照光を、全ての分岐参照光の、前記ホログラフィック記録媒体への到達量が等しくなるように分岐することを特徴とする（１）又は（２）のホログラフィック記録方法。
【００１３】
（４）前記分岐参照光の、前記ホログラフィック記録媒体への入射角度が大きい程、これと干渉する前記分岐物体光の光路長が長くなるように設定したことを特徴とする（１）、（２）又は（３）のホログラフィック記録方法。
【００１４】
（５）レーザ光源と、このレーザ光源から出射されるレーザビームを、２つの相反する特性の第１偏光及び第２偏光に分離する偏光ビームスプリッタと、前記第１偏光を物体光としてホログラフィック記録媒体に導く物体光学系と、前記第２偏光を参照光として前記ホログラフィック記録媒体に導く参照光学系と、を有してなり、前記物体光と参照光との干渉縞を前記ホログラフィック記録媒体に形成して、情報を記録するホログラフィック記録装置であって、前記物体光学系は、前記偏光ビームスプリッタから前記ホログラフィック記録媒体の間に並列に配置された複数の分岐物体光学系を含んでなり、各分岐物体光学系は、前記第１偏光を反射すると共に前記第２偏光と同一特性の偏光を透過する分岐偏光ビームスプリッタと、この分岐偏光ビームスプリッタからの反射光の位相を転換する１／４波長板と、この１／４波長板からの偏光を、該１／４波長板及び前記分岐偏光ビームスプリッタ方向に反射すると共に、記録すべき情報に応じて反射光を変調する反射型空間光変調器と、この反射型空間光変調器で反射され、前記１／４波長板及び前記分岐偏光ビームスプリッタを通った偏光を前記ホログラフィック記録媒体方向に反射する一部透過反射ミラーと、前記分岐偏光ビームスプリッタと前記一部透過反射ミラーとの間に設けられたフーリエレンズと、を含んでなり、前記分岐偏光ビームスプリッタは、前記偏光ビームスプリッタで分岐された第１偏光の直線光路上に、直列に、且つ、反射面を４５°傾けて平行に配置され、前記一部透過反射ミラーは、前記ホログラフィック記録媒体に入射する偏光の直線光路上に、直列に、且つ、反射面を４５°傾けて平行に配置され、前記参照光学系は、前記分岐物体光学系と同数の並列に配置された分岐参照光学系から構成され、前記各分岐参照光学系は、前記ホログラフィック記録媒体に向けて第２偏光を反射するように設定された一部透過反射ミラーと、この一部透過反射ミラーの反射光の光路上に配置されたフーリエレンズと、を含んでなり、前記各分岐参照光学系における前記一部透過反射ミラーは、前記第２偏光の光路上に直列に配置され、前記分岐物体光学系のうち一つは、前記分岐参照光学系のうちの１つに対して、前記偏光ビームスプリッタから前記ホログラフィック記録媒体まで光路長の差が、前記レーザ光の可干渉距離よりも短く、且つ、他の分岐参照光学系に対して、前記光路長の差が、前記可干渉距離よりも長く設定されたことを特徴とするホログラフィック記録装置。
【００１５】
（６）前記反射型空間光変調器は、ディジタル・マイクロミラー・デバイスであることを特徴とする（５）のホログラフィック記録装置。
【００１６】
（７）前記反射型空間光変調器は、反射型液晶ディスプレイであることを特徴とする（５）のホログラフィック記録装置。
【００１７】
（８）前記各分岐偏光ビームスプリッタは、前記反射型空間光変調器からの反射光を透過した後の透過光強度が等しくなるように、その透過率及び反射率が設定されていることを特徴とする（５）、（６）又は（７）のホログラフィック記録装置。
【００１８】
（９）前記分岐参照光学系の一部透過反射ミラーの透過率及び反射率は、各分岐参照光学系から前記ホログラフィック記録媒体に入射する偏光の光強度が等しくなるように設定されていることを特徴とする（５）乃至（８）のいずれかのホログラフィック記録装置。
【発明の効果】
【００１９】
この発明によれば、物体光学系及び参照光学系を同数に分岐させ、各々１組ずつ対応させて、且つ、分岐された物体光学系の途中に空間光変調器を各々設け、これによって、ホログラフィック記録媒体に同時に多数のホログラフィック記録をすることができる。
【発明を実施するための最良の形態】
【００２０】
レーザ光をビームスプリッタにより物体光と参照光とに分岐し、物体光は、この光路上に配置された複数のビームスプリッタにより分岐させ、各々を反射型空間光変調器で反射させてから１本の入射光路に統合し、これをホログラフィック記録媒体に物体光として入射させる。参照光は、その光路上に直列に配置された、前記空間光変調器と同数の一部透過反射ミラーにより、同数に分岐し、これを各々異なる角度でホログラフィック記録媒体に入射して同一箇所で、対応する物体光にのみ干渉させて情報を同時にホログラフィック記録し、短時間で大量の複製を可能とした。
【実施例１】
【００２１】
以下図１を参照して、本発明の実施例に係るホログラフィック記録装置１０について説明する。
【００２２】
このホログラフィック記録装置１０は、レーザ光源１２と、このレーザ光源１２から出射されるレーザビームを、振動面が直交する２つの直線偏光（ｓ偏光及びｐ偏光）に分離する偏光ビームスプリッタ１４と、この偏光ビームスプリッタ１４において反射されたｓ偏光を物体光としてホログラフィック記録媒体２０に導く物体光学系１６と、前記偏光ビームスプリッタ１４を透過したｐ偏光を参照光として、前記ホログラフィック記録媒体２０に導く参照光学系１８と、を有してなり、前記物体光と参照光との干渉縞を、前記ホログラフィック記録媒体２０に形成して情報を記録するものである。
【００２３】
前記物体光学系１６は、前記偏光ビームスプリッタ１４から前記ホログラフィック記録媒体２０の間に並列に配置された複数の分岐物体光学系２２Ａ〜２２Ｅを含んで構成されている。
【００２４】
これら分岐物体光学系２２Ａ〜２２Ｅは、前記偏光ビームスプリッタ１４において反射されたｓ偏光を反射すると共に、該偏光ビームスプリッタ１４を透過した直線偏光と同一特性の直線偏光（ｐ偏光）を透過する分岐偏光ビームスプリッタ２４Ａ〜２４Ｅを各々備えている。
【００２５】
又、前記分岐物体光学系２２Ａ〜２２Ｅは、前記分岐偏光ビームスプリッタ２４Ａ〜２４Ｅからの反射光の位相を転換する１／４波長板２６と、この１／４波長板からの偏光を、該１／４波長板２６及び前記分岐偏光ビームスプリッタ２４Ａ〜２４Ｅ方向に反射すると共に、記録すべき情報に応じて反射光を変調する反射型空間光変調器（以下ＳＬＭ）２８Ａ〜２８Ｅと、このＳＬＭ２８Ａ〜２８Ｅで反射され、前記１／４波長板２６及び前記分岐偏光ビームスプリッタ２４Ａ〜２４Ｅを通った直線偏光（ｐ偏光）を、前記ホログラフィック記録媒体２０方向に反射する一部透過反射ミラー３０Ａ〜３０Ｅと、前記分岐偏光ビームスプリッタ２４Ａ〜２４Ｅと前記一部透過反射ミラー３０Ａ〜３０Ｅとの間に設けられたフーリエレンズ３２と、を含んで構成されている。
【００２６】
前記分岐偏光ビームスプリッタ２４Ａ〜２４Ｅは、前記偏光ビームスプリッタ１４で反射された直線偏光の直線光路上に直列に、且つ、反射面を４５°傾けて平行に配置されている。前記一部透過反射ミラー３０Ａ〜３０Ｅは、前記ホログラフィック記録媒体２０に入射する直線偏光の直線光路上に、直列に、且つ、反射面を４５°傾けて平行に配置されている。
【００２７】
ここで、前記分岐偏光ビームスプリッタ２４Ａ〜２４Ｅは、これを透過してフーリエレンズ３２に入射する直線偏光の光量が等しくなるように、その透過反射率が設定されている。即ち、前記偏光ビームスプリッタ１４に最も近い分岐偏光ビームスプリッタ２４Ａから最も遠い分岐偏光ビームスプリッタ２４Ｅまでの各々は、その反射率が、順に、８／２３、８／１５、４／７、２／３、１となり、透過率は１５／２３、７／１５、３／７、１／３、０となるように設定されている。
【００２８】
又、これら分岐偏光ビームスプリッタ２４Ａ〜２４Ｅの、前記入射直線偏光（ｓ偏光）と振動面が直交する、即ち位相が１８０°転換された直線偏光（ｐ偏光）に対する透過率は１００％となるようにされている。
【００２９】
次に、前記参照光学系１８について説明する。この参照光学系１８は、前記分岐物体光学系２２Ａ〜２２Ｅと同数の、並列に配置された分岐参照光学系３４Ａ〜３４Ｅから構成されている。
【００３０】
前記各分岐参照光学系３４Ａ〜３４Ｅは、前記ホログラフィック記録媒体２０に向けて、前記偏光ビームスプリッタ１４を透過した直線偏光（ｐ偏光）を反射／透過するように設定された一部透過反射ミラー３６Ａ〜３６Ｅと、この一部透過反射ミラー３６Ａ〜３６Ｅの反射光の光路上に配置されたフーリエレンズ３８とを含んで構成されている。
【００３１】
又、前記一部透過反射ミラー３６Ａ〜３６Ｅの反射率及び透過率は、各分岐参照光学系３４Ａ〜３４Ｅからのホログラフィック記録媒体２０への入射光量が等しくなるように設定されている。この実施例の場合、一部透過反射ミラー３６Ａ〜３６Ｅの反射率・透過率は、順に、１／５・４／５、１／４・３／４、１／３・２／３、１／２・１／２、１・０とされている。
【００３２】
前記各分岐参照光学系３４Ａ〜３４Ｅにおける前記一度透過反射ミラー３６Ａ〜３６Ｅは、前記偏光ビームスプリッタ１４を透過した直線偏光の光路上に直列に配置され、且つ、その反射角度は、反射光の、前記ホログラフィック記録媒体２０への入射角度が偏光ビームスプリッタ１４に近いほど大きくなるように設定されている。
【００３３】
前記分岐物体光学系２２Ａ〜２２Ｅと、前記分岐参照光学系３４Ａ〜３４Ｅとは対応して設けられ、例えば分岐物体光学系２２Ａの光路長は、分岐参照光学系３４Ａ〜３４Ｅのうち３４Ａの光路長に対してのみ、その光路長の差が前記レーザ光の可干渉距離よりも短くなり、他の分岐参照光学系３４Ｂ〜３４Ｅの光路長との差が前記レーザ光の可干渉距離よりも長くなるように設定されている。
【００３４】
従って、前記物体光学系２２Ａ〜２２Ｅを通った直線偏光は、対応する分岐参照光学系３４Ａ〜３４Ｅを通った直線偏光のみと干渉し、ホログラフィック記録媒体２０に干渉縞を形成するようにされている。
【００３５】
具体的には、前記分岐偏光ビームスプリッタ２４Ａ〜２４Ｅから対応する反射型空間光変調器２８Ａ〜２８Ｅまでの距離を調整することによって、前記のように、分岐物体光学系２２Ａ〜２２Ｅと分岐参照光学系３４Ａ〜３４Ｅの光路長が、１組のみにおいて可干渉となるように設定する。
【００３６】
次に、上記実施例に係るホログラフィック記録装置１０の作用について説明する。
【００３７】
レーザ光源１２から出射されたレーザビームは、偏光ビームスプリッタ１４において、振動面が直交する直線偏光の一方、例えばｓ偏光が反射され、物体光学系１６に入射する。
【００３８】
このｓ偏光は、前記偏光ビームスプリッタ２４Ａ〜２４Ｅに順に入射していく。ここで、前記分岐偏光ビームスプリッタ２４Ａ〜２４Ｅの、ｓ偏光に対する反射率は前述のように、順に、８／２３、８／１５、４／７、２／３、１とされていて、透過率はその残りである１５／２３、７／１５、３／７、１／３、０とされているので、各分岐偏光ビームスプリッタ２４Ａ〜２４Ｅで反射されたｓ偏光の光量は等しくなる。
【００３９】
図２にも示されるように、分岐偏光ビームスプリッタ２４Ａ〜２４Ｅで反射されたｓ偏光は、１／４波長板２６を通る際に、楕円偏光に転換され、且つ、反射型空間光変調器２８Ａ〜２８Ｅで反射されるとき、その楕円偏光の長軸が９０°転換される。
【００４０】
この楕円偏光が、前記１／４波長板２６に戻ってこれを透過すると、ｓ偏光に対して振動面が直交するｐ偏光に転換され、このまま、前記分岐偏光ビームスプリッタ２４Ａ〜２４Ｅに入射する。
【００４１】
分岐偏光ビームスプリッタ２４Ａ〜２４Ｅは、ｐ偏光の透過率が１００％であるので、そのままこれを一部透過反射ミラー３６Ａ〜３６Ｅに向けて透過し、一部透過反射ミラー３０Ａ〜３０Ｅによって直角に反射されることにより統合光路１７に統合されて、ホログラフィック記録媒体２０に、物体光として入射される。
【００４２】
一方、前記偏光ビームスプリッタ１４を透過したレーザビームは、前記反射されたｓ偏光に対して振動面が直交するｐ偏光であり、これは各一部透過反射ミラー３６Ａ〜３６Ｅに順次入射して、且つフーリエレンズ３８を通って前記ホログラフィック記録媒体２０に入射する。
【００４３】
従って、ホログラフィック記録媒体２０では、入射した物体光及び参照光が共にｐ偏光であるので、両者の光路長が可干渉の関係にあれば、同ホログラフィック記録媒体２０内に干渉縞が形成される。
【００４４】
前述のように、前記物体光学系２２Ａ〜２２Ｅは、分岐参照光学系３４Ａ〜３４Ｅの各々に１：１の関係で対応し、対応する１組の光路長の差が可干渉の関係にあるので、ほとんど同時に、ホログラフィック記録媒体２０内に５種類の干渉縞が形成されることになる。
【００４５】
なお、上記実施例では、分岐物体光学系、分岐参照光学系及び反射型空間光変調器はいずれも５組設定されているが、本発明はこれに限定されるものでなく、両者の数が一致すれば、設定可能な数で、できるだけ多くするのがよい。
【００４６】
更に、上記実施例において、偏光ビームスプリッタ１４及び物体光学系１６と参照光学系１８は共に、直線偏光を伝送するように構成されているが、本発明はこれに限定されるものでなく、偏光ビームスプリッタをレーザ光源１２から出射したレーザビームを右旋又は左旋円偏光に分離するものとし、又各分岐偏光ビームスプリッタ２４Ａ〜２４Ｅも、同様に、左旋又は右旋円偏光の一方を反射し、他方を透過するように構成し、ホログラフィック記録媒体２０に入射する物体光と参照光とが、共に右旋又は左旋円偏光となるようにしてもよい。
【図面の簡単な説明】
【００４７】
【図１】本発明の実施例に係るホログラフィック記録装置を示す一部ブロック図を含む光学系統図
【図２】同実施例における１組の分岐物体光学系及び分岐参照光学系の関係を示す光学系統図
【符号の説明】
【００４８】
１０…ホログラフィック記録装置
１２…レーザ光源
１４…偏光ビームスプリッタ
１６…物体光学系
１７…統合光路
１８…参照光学系
２０…ホログラフィック記録媒体
２２Ａ〜２２Ｅ…分岐物体光学系
２４Ａ〜２４Ｅ…分岐偏光ビームスプリッタ
２６…１／４波長板
２８Ａ〜２８Ｅ…反射型空間光変調器（ＳＬＭ）
３０Ａ〜３０Ｅ、３６Ａ〜３６Ｅ…一部透過反射ミラー
３２、３８…フーリエレンズ
３４Ａ〜３４Ｅ…分岐参照光学系
【図１】
2005070341.tif 000003
【図２】
2005070341.tif 000004